(57)【要約】【課題】締結前となる電線端末の端子金具をハウジングから抜け出さないようにすることが可能な端子仮保持構造を提供する。【解決手段】端子仮保持構造１は、ハウジング１５及びバスバー端子１４を備えるバスバーブロック３と、ハウジング１５に挿入されてバスバー端子１４に接続される端子金具５と、端子金具５が端末に接続される電線４と、ハウジング１５に挿入された端子金具５及びバスバー端子１４を締結するためのボルト１８と、ボルト１８による締結前の端子金具５を仮保持するための仮保持手段１９とを含んで構成される。仮保持手段１９は、端子金具５に形成される一対の端子段部２５と、被誘導部２６とを有する。また、仮保持手段１９は、ハウジング１５に形成される押さえ部３６と、落とし込み凹部３８と、一対の係合段部３９と、誘導部４０とを有する。【選択図】図５
2019046564.tif 000002
【特許請求の範囲】
【請求項１】
絶縁性のハウジング及び導電性のバスバー端子を備えるバスバーブロックと、
前記ハウジングに挿入されて前記バスバー端子に接続される導電性の端子金具と、
該端子金具が端末に接続される電線と、
前記ハウジングに挿入された前記端子金具及び前記バスバー端子を締結するための締結部材と、
該締結部材による締結前の前記端子金具を仮保持するため複数の部分から構成される仮保持手段とを含み、
前記端子金具は、前記電線に接続される電線接続部と、該電線接続部よりも幅広で前記バスバー端子に接触する平板状の電気接触部と、該電気接触部及び前記電線接続部を繋ぐ連結部とを有し、
前記仮保持手段は、前記端子金具に形成される端子段部と、前記ハウジングに形成される押さえ部、落とし込み凹部、及び係合段部とを有し、
前記端子段部は、前記連結部及び前記電気接触部の繋ぎ位置に配置される係合用の段差部分として形成され、
前記押さえ部は、前記電気接触部が通過した後の前記電線接続部及び／又は前記電線を横切るような形状の部分として形成され、
前記落とし込み凹部は、前記ハウジングに挿入された前記端子金具を前記締結部材の締結軸に沿って一段落とし込むことが可能な凹状の部分として形成され、
前記係合段部は、前記落とし込み凹部の形成により生じる段差の一部分として且つ前記端子段部が係合可能な部分として形成される
ことを特徴とする端子仮保持構造。
【請求項２】
請求項１に記載の端子仮保持構造において、
前記落とし込み凹部は、落とし込んだ前記端子金具を受ける底面と、該底面から前記バスバー端子が露出するバスバー取付部とを有する
ことを特徴とする端子仮保持構造。
【請求項３】
請求項２に記載の端子仮保持構造において、
前記落とし込み凹部は、落とし込んだ前記端子金具に対し前記段差にて端子挿入方向及び端子幅方向の移動を規制することが可能に形成される
ことを特徴とする端子仮保持構造。
【請求項４】
請求項１、２又は３に記載の端子仮保持構造において、
前記仮保持手段は、前記落とし込み凹部に前記端子金具を落とし込む際の誘導部分として、前記ハウジングに形成される誘導部と、前記端子金具に形成される被誘導部とを有する
ことを特徴とする端子仮保持構造。
【発明の詳細な説明】
【技術分野】
【０００１】
本発明は、締結部材による締結前の端子金具を仮保持するための端子仮保持構造に関する。
【背景技術】
【０００２】
バスバー端子に電線端末の端子金具をボルトにより締め付けて電気的な接続を行うため、端子ガイド部を用いる例が知られている（例えば特許文献１参照）。
【先行技術文献】
【特許文献】
【０００３】
【特許文献１】特開２０１６−１７４５０４号公報
【発明の概要】
【発明が解決しようとする課題】
【０００４】
上記従来技術にあっては、ボルトにより締め付ける前に電線端末の端子金具が、端子のハウジングとして設けられる端子ガイド部から抜け出してしまうことが懸念される（作業者が例えば電線を持つ手を離した場合などに起こり得ると考えられる）。
【０００５】
本発明は、上記した事情に鑑みてなされたもので、締結前となる電線端末の端子金具をハウジングから抜け出さないようにすることが可能な端子仮保持構造の提供を課題とする。
【課題を解決するための手段】
【０００６】
上記課題を解決するためになされた請求項１に記載の本発明の端子仮保持構造は、絶縁性のハウジング及び導電性のバスバー端子を備えるバスバーブロックと、前記ハウジングに挿入されて前記バスバー端子に接続される導電性の端子金具と、該端子金具が端末に接続される電線と、前記ハウジングに挿入された前記端子金具及び前記バスバー端子を締結するための締結部材と、該締結部材による締結前の前記端子金具を仮保持するため複数の部分から構成される仮保持手段とを含み、前記端子金具は、前記電線に接続される電線接続部と、該電線接続部よりも幅広で前記バスバー端子に接触する平板状の電気接触部と、該電気接触部及び前記電線接続部を繋ぐ連結部とを有し、前記仮保持手段は、前記端子金具に形成される端子段部と、前記ハウジングに形成される押さえ部、落とし込み凹部、及び係合段部とを有し、前記端子段部は、前記連結部及び前記電気接触部の繋ぎ位置に配置される係合用の段差部分として形成され、前記押さえ部は、前記電気接触部が通過した後の前記電線接続部及び／又は前記電線を横切るような形状の部分として形成され、前記落とし込み凹部は、前記ハウジングに挿入された前記端子金具を前記締結部材の締結軸に沿って一段落とし込むことが可能な凹状の部分として形成され、前記係合段部は、前記落とし込み凹部の形成により生じる段差の一部分として且つ前記端子段部が係合可能な部分として形成されることを特徴とする。
【０００７】
このような請求項１の特徴を有する本発明によれば、ハウジングの落とし込み凹部に落とし込んだ端子金具が何らかの要因で抜け出そうとしても、落とし込み凹部の係合段部に端子金具の端子段部が係合することから、結果、締結前となる電線端末の端子金具をハウジングから抜け出さないようにすることができる。また、電線接続部及び／又は電線を横切るような形状の押さえ部もあることから、落とし込み凹部から端子金具が一段上がろうとしても上がり難く、結果、締結前となる電線端末の端子金具をハウジングから抜け出さないようにすることができる。
【０００８】
請求項２に記載の本発明は、請求項１に記載の端子仮保持構造において、前記落とし込み凹部は、落とし込んだ前記端子金具を受ける底面と、該底面から前記バスバー端子が露出するバスバー取付部とを有することを特徴とする。
【０００９】
このような請求項２の特徴を有する本発明によれば、ハウジングの落とし込み凹部に端子金具を落とし込むだけでバスバー端子と端子金具とを接触させることができる。この接触により、あとは締結部材で締結するだけで電気的な接続を完了させることができる。本発明によれば、作業性の向上に寄与することができる。
【００１０】
請求項３に記載の本発明は、請求項２に記載の端子仮保持構造において、前記落とし込み凹部は、落とし込んだ前記端子金具に対し前記段差にて端子挿入方向及び端子幅方向の移動を規制することが可能に形成されることを特徴とする。
【００１１】
このような請求項３の特徴を有する本発明によれば、ハウジングの落とし込み凹部に落とし込んだ端子金具が何らかの要因で端子挿入方向や端子幅方向に移動しようとしても、この移動を落とし込み凹部の形状にて規制することができる。本発明によれば、端子金具の位置決めに寄与することができる。
【００１２】
請求項４に記載の本発明は、請求項１、２又は３に記載の端子仮保持構造において、前記仮保持手段は、前記落とし込み凹部に前記端子金具を落とし込む際の誘導部分として、前記ハウジングに形成される誘導部と、前記端子金具に形成される被誘導部とを有することを特徴とする。
【００１３】
このような請求項４の特徴を有する本発明によれば、ハウジングに電線端末の端子金具を挿入すると、ハウジングの誘導部にて端子金具の被誘導部が誘導され、結果、端子金具をハウジングの落とし込み凹部にスムーズに落とし込むことができる。本発明によれば、作業性の向上に寄与することができる。
【発明の効果】
【００１４】
本発明の端子仮保持構造によれば、締結前となる電線端末の端子金具をハウジングから抜け出さないようにすることができるという効果を奏する。
【図面の簡単な説明】
【００１５】
【図１】本発明の一実施形態である端子仮保持構造を含む機器の斜視図である。
【図２】端子仮保持構造の平面図である。
【図３】端子金具挿入前となる端子仮保持構造の平面図である。
【図４】図３に対応する斜視図である。
【図５】図４に対し向きを変えて見た斜視図である。
【図６】ハウジング側の仮保持手段の斜視図（断面図を含む）である。
【図７】図２のＡ−Ａ線断面図である。
【図８】図２のＢ−Ｂ線断面図である。
【図９】要部拡大図であり、（ａ）は図７の矢印Ｃ部分の拡大図、（ｂ）は図８の矢印Ｄ部分の拡大図である。
【図１０】図７に対し向きを変えて見た斜視図（断面図を含む）である。
【図１１】図８に対し向きを変えて見た斜視図（断面図を含む）である。
【図１２】電線端末の端子金具をハウジングに挿入する途中状態を示す図である。
【図１３】図１２から電線端末の端子金具をハウジングの落とし込み凹部に落とし込んだ状態を示す図である。
【発明を実施するための形態】
【００１６】
端子仮保持構造は、ハウジング及びバスバー端子を備えるバスバーブロックと、ハウジングに挿入されてバスバー端子に接続される端子金具と、端子金具が端末に接続される電線と、ハウジングに挿入された端子金具及びバスバー端子を締結するための締結部材と、締結部材による締結前の端子金具を仮保持するための仮保持手段とを含んで構成される。仮保持手段は、端子金具に形成される端子段部と、被誘導部とを有する。また、仮保持手段は、ハウジングに形成される押さえ部と、落とし込み凹部と、係合段部と、誘導部とを有する。落とし込み凹部は、端子金具を一段落とし込む部分として形成される。係合段部は、落とし込み凹部の一部分であり、端子段部が係合可能な部分として形成される。誘導部は、落とし込み凹部に端子金具を落とし込む際の被誘導部を誘導する部分として形成される。
【実施例】
【００１７】
以下、図面を参照しながら実施例を説明する。図１は本発明の一実施形態である端子仮保持構造を含む機器の斜視図である。また、図２は端子仮保持構造の平面図、図３は端子金具挿入前となる端子仮保持構造の平面図、図４は図３に対応する斜視図、図５は図４に対し向きを変えて見た斜視図、図６はハウジング側の仮保持手段の斜視図、図７は図２のＡ−Ａ線断面図、図８は図２のＢ−Ｂ線断面図、図９は要部拡大図、図１０は図７に対し向きを変えて見た斜視図、図１１は図８に対し向きを変えて見た斜視図、図１２は電線端末の端子金具をハウジングに挿入する途中状態を示す図、図１３は図１２から電線端末の端子金具をハウジングの落とし込み凹部に落とし込んだ状態を示す図である。
【００１８】
＜端子仮保持構造１及び機器２について＞
図１において、端子仮保持構造１は、例えば自動車等の移動体に搭載される機器２のバスバーブロック３と、電線４の端末に設けられる端子金具５との電気的な接続部分に採用される。
【００１９】
機器２において、引用符号６は機器本体を示す。機器本体６は、発熱性のあるＤＣ−ＤＣコンバーター７の上にこのＤＣ−ＤＣコンバーター７と同様の大きさの電気接続箱８を載せて一体化したものである。ＤＣ−ＤＣコンバーター７は、コンバーター本体９と、このコンバーター本体９の下に配設される金属製の放熱部１０とを備えて構成される。一方、電気接続箱８は、電気接続箱本体１１と、この電気接続箱本体１１を構成する樹脂ケース１２と、樹脂ケース１２の上面開口を覆う樹脂カバー１３とを備えて構成される。尚、ＤＣ−ＤＣコンバーター７は一例であり、公知の制御ユニット等であってもよいものとする。
【００２０】
端子仮保持構造１が採用されるバスバーブロック３は、機器本体６の一側部に配設される。バスバーブロック３は、コンバーター本体９及び電気接続箱本体１１からそれぞれのびる導電性のバスバーのバスバー端子１４（１４ａ〜１４ｅ、図３参照）と、これらバスバー端子１４を保持する絶縁性のハウジング１５と、ハウジング１５を支えるため放熱部１０に形成される金属ベース１６とを備えて構成される。尚、端子仮保持構造１は、バスバーブロック３の他に端子金具５にも採用される。以下、端子仮保持構造１の構成及び構造について説明をする。
【００２１】
＜端子仮保持構造１の構成について＞
図１ないし図５において、端子仮保持構造１は、電線４及び電線４の端末に設けられる端子金具５と、上記バスバーブロック３と、バスバーブロック３側に取り付けられるナット１７（図７参照。締結部材）と、このナット１７にねじ込まれるボルト１８（締結部材）と、複数の部分からなる仮保持手段１９とを含んで構成される。
【００２２】
＜電線４について＞
図３において、電線４は、導電性の複数の素線を撚り合わせてなる断面円形の導体２０と、この導体２０の外側に押出成形されてなる絶縁性の絶縁体２１とを備えて構成される。電線４は、本実施例において所謂太物電線であってコシがあるものが採用される（一例であり細物電線であってもよいものとする）。電線４は、この端末が所定長さで絶縁体２１が除去され導体２０が露出した状態に加工される。
【００２３】
＜端子金具５について＞
図３において、端子金具５は、導電性を有する金属板をプレス加工することにより形成される。端子金具５は、バスバーブロック３の上記ハウジング１５に挿入されて上記バスバー端子１４（１４ａ）に接続される。端子金具５は、電線４に接続される電線接続部２２と、この電線接続部２２よりも幅広でバスバー端子１４（１４ａ）に接触する平板状の電気接触部２３と、電気接触部２３及び電線接続部２２を繋ぐ連結部２４と、一対の端子段部２５と、被誘導部２６とを有して図示形状に形成される。
【００２４】
電線接続部２２は、加締めにより電線４の端末に取り付けられる。電気接触部２３は、幅方向の一対の側部２７と、円弧状の先端部２８とを有して平面視Ｕ字状に形成される。電気接触部２３の中央には、円形のボルト挿通孔２９が貫通形成される。連結部２４は、電気接触部２３及び電線接続部２２の幅の差からくびれが生じるような形状に形成される。
【００２５】
＜一対の端子段部２５について＞
図３ないし図５において、一対の端子段部２５は、連結部２４及び電気接触部２３の繋ぎ位置に配置される段差部分として形成される。別な言い方をすれば、上記繋ぎ位置に配置される角部分として形成される。また、一対の端子段部２５は、後述する落とし込み凹部３８の一対の係合段部３９に対して係合する部分として形成される。一対の端子段部２５は、仮保持手段１９を構成する一つであり、端子金具５の抜け防止に寄与する部分である。尚、一対の端子段部２５は、一対の係合段部３９に対して係合する部分（当接又は引っ掛かりが生じる部分）であればよく、図示形状に限定されないものとする。
【００２６】
＜被誘導部２６について＞
図３、図４、図９、及び図１０において、被誘導部２６は、端子金具５の最先端に配置される部分であって、電気接触部２３の先端部２８に折り曲げ形成される（電気接触部２３の表面側に折り曲げられる）。被誘導部２６は、矩形状の凸部分に形成される。被誘導部２６は、この先端が後述する誘導部４０（図９（ａ）参照）を摺接すると、端子金具５が所定の方向に案内されるような部分（後述する締結軸４３に沿って下方に案内されるような部分）に形成される。被誘導部２６は、仮保持手段１９を構成する一つであり、端子金具５を後述する落とし込み凹部３８に落とし込む際に寄与する部分である。尚、被誘導部２６及び誘導部４０がなくても落とし込み凹部３８への落とし込みは可能であるが、あればスムーズな落とし込みができるのは勿論である。
【００２７】
＜バスバーブロック３について＞
図２ないし図８において、バスバーブロック３は、上述の如くバスバー端子１４（１４ａ〜１４ｅ）と、ハウジング１５と、金属ベース１６とを備えて構成される。
【００２８】
＜バスバー端子１４について＞
バスバー端子１４は、導電性を有し、矩形平板状に形成される。バスバー端子１４の中央には、円形のボルト挿通孔３０が貫通形成される。尚、ボルト挿通孔３０の位置に合わせてナット１７がハウジング１５に固定される（図７及び図１０参照）。
【００２９】
＜ハウジング１５について＞
図３ないし図８において、本実施例のハウジング１５は、二部品で構成される。すなわち、ハウジング１５は、ロアハウジング３１と、アッパーハウジング３２とで構成される。ロアハウジング３１とアッパーハウジング３２は、それぞれ樹脂成形品であり、重ね合わせられてネジ３３により固定される。このような構成のハウジング１５は、端子挿入口３４と、一対の端子ガイド３５と、押さえ部３６と、締結開口部３７と、落とし込み凹部３８と、一対の係合段部３９と、誘導部４０と、一対の係合舌片４１とを有して図示形状に形成される。
【００３０】
＜端子挿入口３４について＞
図４、図６、及び図１２において、端子挿入口３４は、端子金具５の挿入を開始する部分として開口形成される。端子挿入口３４は、挿入の際に端子金具５の被誘導部２６が引っ掛からないように逃がしがある形状に形成される。尚、端子挿入口３４や次に説明する一対の端子ガイド３５は、ロアハウジング３１とアッパーハウジング３２の重ね合わせ位置で開口するように形成される。
【００３１】
＜一対の端子ガイド３５について＞
図４、図６、及び図１２において、一対の端子ガイド３５は、端子金具５の挿入を開始した際に電気接触部２３の一対の側部２７のみをガイドする部分として形成される（上記幅の差から端子金具５の電線接続部２２はガイドされないものとする）。
【００３２】
＜押さえ部３６について＞
図２〜図５、図８、及び図１０において、押さえ部３６は、端子金具５の挿入を開始し電気接触部２３が通過した後の電線接続部２２及び／又は電線４を横切るようなブリッジ状の形状部分として形成される。押さえ部３６は、仮保持手段１９を構成する一つであり、端子金具５の抜け防止に寄与する部分である。もう少し詳しく説明すると、押さえ部３６は、ボルト１８の挿通締め付け前に電線接続部２２及び／又は電線４が許容範囲を超えて浮き上がらないように押さえるための部分であって、浮きが押さえられることにより端子金具５の抜け防止に寄与することができるようになる。尚、押さえ部３６には、複数の穴が開いているが、これは成形のための肉盗みにて生じる穴である他、表面積を多くして機器本体６側からの熱の影響を緩和するための穴でもある。
【００３３】
＜締結開口部３７について＞
図４及び図５において、締結開口部３７は、ボルト１８の挿通締め付けに必要な大きさに開口形成される。締結開口部３７を区画する壁４２は、ハウジング１５の強度を確保することができる形状、及び、表面積を多くして機器本体６側からの熱の影響を緩和するためのフィン状の形状に形成される。
【００３４】
＜落とし込み凹部３８について＞
図３ないし図６、及び、図１０ないし図１３において、落とし込み凹部３８は、端子挿入口３４を介してハウジング１５に挿入され、そして、一対の端子ガイド３５にてガイドされた後の端子金具５をボルト１８の締結軸４３に沿って一段落とし込むことが可能な凹状の部分に形成される。また、落とし込み凹部３８は、一対の端子ガイド３５の形成面を基準面にして凹むような部分に形成される。落とし込み凹部３８は、この平面視の形状（輪郭）が端子金具５の平面視の形状（輪郭）に合わせて形成される。
【００３５】
落とし込み凹部３８における引用符号４４は底面を示す。また、引用符号４５はバスバー取付部を示す。底面４４は、一段落とし込んだ端子金具５を受ける面として形成される。バスバー取付部４５は、底面４４からバスバー端子１４を露出させるように取り付けるための部分として形成される。
【００３６】
底面４４は単なる平面でなく、バスバー端子１４が露出する面に形成される。落とし込み凹部３８は、底面４４からバスバー端子１４が露出するため、二段階に凹むような形状に形成される。すなわち、一段目の凹みは底面４４のために形成され、二段目はバスバー端子１４を取り付ける部分に形成される。尚、バスバー端子１４が取り付けられると、落とし込み凹部３８は一段凹んだような状態の部分に見える。
【００３７】
落とし込み凹部３８は、上記の如く端子金具５の平面視の形状（輪郭）に合わせて凹む形状部分であることから、このような形状の形成により生じる段差は、落とし込んだ後の端子金具５の端子挿入方向及び端子幅方向の移動を規制することができる部分になるのは勿論である。落とし込み凹部３８は、仮保持手段１９を構成する一つであり、端子金具５の抜け防止に寄与する部分である。尚、端子抜け方向の移動を規制することに関しては、次に説明をする一対の係合段部３９が機能するようになる。
【００３８】
＜一対の係合段部３９について＞
図６、図８、図９、及び図１１〜１３において、一対の係合段部３９は、落とし込み凹部３８の形成により生じる段差の一部分であって、端子金具５の一対の端子段部２５が係合可能になる部分として形成される（係合用の段差部分である）。一対の係合段部３９は、上記段差のうち、一対の端子ガイド３５の終端位置にある段差が該当する。一対の係合段部３９は、端子抜け方向の移動を規制する段差である。一対の係合段部３９は、一対の側部２７にてガイドされた端子金具５を落とし込み凹部３８に落とし込んだ時に、一対の端子段部２５が対向するような位置に配置される。一対の係合段部３９は、仮保持手段１９を構成する一つであり、端子金具５の抜け防止に寄与する部分である。
【００３９】
＜誘導部４０について＞
図４、図７、図９、及び図１０において、誘導部４０は、仮保持手段１９を構成する一つであり、落とし込み凹部３８に端子金具５を落とし込む際に寄与する誘導部分として形成される。誘導部４０には、被誘導部２６の先端が摺接するテーパ４６（図９参照）が形成される。誘導部４０は、端子挿入方向の力の向きを変換する部分に形成される。
【００４０】
＜一対の係合舌片４１について＞
図２ないし図７において、一対の係合舌片４１は、落とし込み凹部３８に落とし込んだ後の端子金具５の一対の端子段部２５に対し、この上方に位置するような舌片状の部分に形成される。一対の係合舌片４１は、ボルト１８の挿通締め付け前に端子金具５の浮き上がりを規制する部分として形成される。
【００４１】
＜仮保持手段１９について＞
上記説明から分かるように、仮保持手段１９は複数の部分から構成される。仮保持手段１９は、ボルト１８の挿通締め付け前の端子金具５を仮保持するために備えられる。本実施例においては、端子金具５の一対の端子段部２５と被誘導部２６とが仮保持手段１９に該当し、また、ハウジング１５の押さえ部３６と、落とし込み凹部３８と、一対の係合段部３９と、誘導部４０と、一対の係合舌片４１も仮保持手段１９に該当する（特に端子段部２５、押さえ部３６、落とし込み凹部３８、係合段部３９が仮保持手段１９として有効になる）。
【００４２】
＜端子仮保持構造１の作用及び効果について＞
上記仮保持手段１９を含む本発明の一実施形態である端子仮保持構造１によれば、ハウジング１５の落とし込み凹部３８に落とし込んだ端子金具５が何らかの要因で抜け出そうとしても、落とし込み凹部３８の一対の係合段部３９に端子金具５の一対の端子段部２５が係合することから、結果、ボルト１８の挿通締め付け前に電線４の端末の端子金具５をハウジング１５から抜け出さないようにすることができる。また、端子金具５の電線接続部２２及び／又は電線４を横切るような形状の押さえ部３６もあることから、落とし込み凹部３８から端子金具５が一段上がろうとしても上がり難く、結果、ボルト１８の挿通締め付け前に電線４の端末の端子金具５をハウジング１５から抜け出さないようにすることができる。
【００４３】
また、端子仮保持構造１によれば、ハウジング１５の落とし込み凹部３８に端子金具５を落とし込むだけでバスバー端子１４と端子金具５とを接触させることができる。この接触により、あとはボルト１８の挿通締め付けをするだけで電気的な接続を完了させることができる。端子仮保持構造１によれば、作業性の向上に寄与することができる。
【００４４】
また、端子仮保持構造１によれば、ハウジング１５の落とし込み凹部３８に落とし込んだ端子金具５が何らかの要因で端子挿入方向や端子幅方向に移動しようとしても、この移動を落とし込み凹部３８の形状にて規制することができる。端子仮保持構造１によれば、端子金具の位置決めに寄与することができる。
【００４５】
また、端子仮保持構造１によれば、ハウジング１５に電線４の端末の端子金具５を挿入すると、ハウジング１５の誘導部４０にて端子金具５の被誘導部２６が誘導され、結果、端子金具５をハウジング１５の落とし込み凹部３８にスムーズに落とし込むことができる。端子仮保持構造１によれば、作業性の向上に寄与することができる。
【００４６】
以上、図１ないし図１３を参照しながら説明してきたように、本発明の一実施形態である端子仮保持構造１によれば、ボルト１８の挿通締め付け前となる電線４の端末の端子金具５をハウジング１５から抜け出さないようにすることができるという効果を奏する。
【００４７】
本発明は本発明の主旨を変えない範囲で種々変更実施可能なことは勿論である。
【符号の説明】
【００４８】
１…端子仮保持構造、  ２…機器、  ３…バスバーブロック、  ４…電線、  ５…端子金具、  ６…機器本体、  ７…ＤＣ−ＤＣコンバーター、  ８…電気接続箱、  ９…コンバーター本体、  １０…放熱部、  １１…電気接続箱本体、  １２…樹脂ケース、  １３…樹脂カバー、  １４…バスバー端子、  １５…ハウジング、  １６…金属ベース、  １７…ナット（締結部材）、  １８…ボルト（締結部材）、  １９…仮保持手段、  ２０…導体、  ２１…絶縁体、  ２２…電線接続部、  ２３…電気接触部、  ２４…連結部、  ２５…端子段部、  ２６…被誘導部、  ２７…側部、  ２８…先端部、  ２９、３０…ボルト挿通孔、  ３１…ロアハウジング、  ３２…アッパーハウジング、  ３３…ネジ、  ３４…端子挿入口、  ３５…端子ガイド、  ３６…押さえ部、  ３７…締結開口部、  ３８…落とし込み凹部、  ３９…係合段部、  ４０…誘導部、  ４１…係合舌片、  ４２…壁、  ４３…締結軸、  ４４…底面、  ４５…バスバー取付部、  ４６…テーパ
【図１】
2019046564.tif 000003
【図２】
2019046564.tif 000004
【図３】
2019046564.tif 000005
【図４】
2019046564.tif 000006
【図５】
2019046564.tif 000007
【図６】
2019046564.tif 000008
【図７】
2019046564.tif 000009
【図８】
2019046564.tif 000010
【図９】
2019046564.tif 000011
【図１０】
2019046564.tif 000012
【図１１】
2019046564.tif 000013
【図１２】
2019046564.tif 000014
【図１３】
2019046564.tif 000015